(57)【要約】【課題】本発明の目的は、携帯型電話機を主にパブリックにおける衛生器具の表示操作器として利用可能とするための衛生設備システムを提供する。【解決手段】衛生器具に備え付けられている記録媒体の情報を携帯型電話機に内蔵の読取装置で読み取り、その内容から、その機種固有の赤外線コードを取得することができるため、パブリックのように衛生器具が隣接して多数設置されているような場合においても、携帯型電話機による衛生器具の遠隔操作を行なうことが可能となる。【選択図】  図１
2004282440.tif 000002
【特許請求の範囲】
【請求項１】
機種番号を記録した記録媒体と、赤外線受信手段とを備えた衛生器具と、
ネットワークに接続する手段と、赤外線送信手段と、前記記録媒体に記載されている機種番号を読み取る読取手段と、メモリ機能と、前記衛生器具の表示操作器として利用可能とするためのプログラムとを備えた携帯型電話機と、
前記衛生器具の機種番号に対応した複数の機種データと、前記携帯型電話機からの信号を受信する手段と、前記携帯型電話機に対して信号を送信する手段とを備えたサーバと、
を備えてなる衛生設備システムにおいて、
前記携帯型電話機は、前記記録媒体が記録している前記衛生器具の機種番号を前記読取手段によって読み取り、前記機種番号をネットワークを介して前記サーバへ送信可能であって、前記サーバは、受信した前記機種番号に対応した前記機種データをネットワークを介して前記携帯型電話機へ送信可能であり、前記携帯型電話機の前記プログラムは、受信した前記機種データをメモリに記憶して、この機種データに基づいて作成した赤外線信号を、前記赤外線送信手段から前記衛生器具に送信するものであり、前記衛生器具は前記赤外線受信手段で受取った信号によって遠隔操作されることを特徴とする衛生設備システム。
【請求項２】
自らに対応する機種データを記憶した記録媒体と、赤外線受信手段とを備えた衛生器具と、
赤外線送信手段と、前記記録媒体に記載されている機種データを読み取る読取手段と、メモリ機能と、前記衛生器具の表示操作器として利用可能とするためのプログラムとを備えた携帯型電話機と、
を備えてなる衛生設備システムにおいて、
前記携帯型電話機の前記プログラムは、前記記録媒体が記録している前記機種データを前記読取手段によって読み取り、メモリに記憶して、この機種データに基づいて作成した赤外線信号を、前記赤外線送信手段から前記衛生器具に送信し、前記衛生器具は前記赤外線受信手段で受取った信号によって遠隔操作されることを特徴とする衛生設備システム。
【発明の詳細な説明】
【０００１】
【発明の属する技術分野】
本発明は、携帯型電話機による衛生器具の遠隔操作を可能とするための衛生設備システムに関する。
【０００２】
【従来の技術】
昨今の携帯型電話機の普及は目覚しく、日々の生活の中に深く入り込んできており、個人単位での所有にまで広がりつつある。
また、利用方法も電話機としての利用からメール端末、さらにはインターネット接続端末としても利用でき、さらにはＪａｖａ（登録商標）等で記述されたソフトウェアが動作することまでが考えられてきているし、近距離用の通信手段を搭載することも提言されている。
【０００３】
一方従来から、温水洗浄便座、暖房便座あるいは便器の別置の表示操作器には赤外線通信手段が用いられてワイヤレス化が図られてきている。
【０００４】
そこで、ネットワークへの接続可能な携帯型電話機において、赤外線通信手段あるいは近距離無線通信手段を設けたことを特徴とする携帯型電話機を温水洗浄便座、暖房便座あるいは便器といったような衛生器具の表示操作器として利用することが提言されている。（例えば、特許文献１参照）
【０００５】
【特許文献１】
特開２００２−８４３４６号公報（第３−４頁、第１図）
【０００６】
【発明が解決しようとする課題】
しかしながら、パブリックの様に衛生器具の機種が様々であるような場合においては、それぞれ制御内容や赤外線コードが異なるため、使用する前に携帯型電話機に機種を認識させる操作を行なう必要があるが、ボタン操作によって１つ１つ設定していては面倒である。
【０００７】
また同機種が隣接して多数設置されている場合では、誤作動防止のため同機種でも異なる赤外線コードが割り振られているため、型番の設定で赤外線コードを取得したとしても、衛生器具を操作できない可能性がある。
【０００８】
本発明は、上記問題を解決するためになされたもので、本発明の目的は、携帯型電話機を主にパブリックにおける衛生器具の表示操作器として利用可能とするための衛生設備システムを提供することにある。
【０００９】
【課題を解決するための手段】
上記目的を達成するために請求項１の発明は、機種番号を記録した記録媒体と、赤外線受信手段とを備えた衛生器具と、ネットワークに接続する手段と、赤外線送信手段と、前記記録媒体に記載されている機種番号を読み取る読取手段と、メモリ機能と、前記衛生器具の表示操作器として利用可能とするためのプログラムとを備えた携帯型電話機と、前記衛生器具の機種番号に対応した複数の機種データと、前記携帯型電話機からの信号を受信する手段と、前記携帯型電話機に対して信号を送信する手段とを備えたサーバと、を備えてなる衛生設備システムにおいて、前記携帯型電話機は、前記記録媒体が記録している前記衛生器具の機種番号を前記読取手段によって読み取り、前記機種番号をネットワークを介して前記サーバへ送信可能であって、前記サーバは、受信した前記機種番号に対応した前記機種データをネットワークを介して前記携帯型電話機へ送信可能であり、前記携帯型電話機の前記プログラムは、受信した前記機種データをメモリに記憶して、この機種データに基づいて作成した赤外線信号を、前記赤外線送信手段から前記衛生器具に送信するものであり、前記衛生器具は前記赤外線受信手段で受取った信号によって遠隔操作されることを特徴とする衛生設備システムを提案する。
【００１０】
請求項１の発明によれば、携帯型電話機は、記録媒体が記録している衛生器具の機種番号を読取手段によって読み取り、機種番号をネットワークを介してサーバへ送信し、サーバは、受信した機種番号に対応した赤外線コードを格納する機種データをネットワークを介して携帯型電話機へ送信し、携帯型電話機は受信した機種データをメモリに記憶して、プログラムと機種データで作成した赤外線信号を、赤外線送信手段から衛生器具に送信し、衛生器具は赤外線受信手段で受取った信号によって遠隔操作される。
【００１１】
以上より、衛生器具に備え付けられている記録媒体の情報を携帯型電話機に内蔵の読取装置で読み取ることで、衛生器具の機種番号の設定を容易に行なうことができ、さらに、その設定の内容から、その機種固有の赤外線コードを取得することができるため、パブリックのように衛生器具が隣接して多数設置されているような場合においても確実に操作することが可能となる。
【００１２】
請求項２の発明は、自らに対応する機種データを記憶した記録媒体と、赤外線受信手段とを備えた衛生器具と、赤外線送信手段と、前記記録媒体に記載されている機種データを読み取る読取手段と、メモリ機能と、前記衛生器具の表示操作器として利用可能とするためのプログラムとを備えた携帯型電話機と、を備えてなる衛生設備システムにおいて、前記携帯型電話機の前記プログラムは、前記記録媒体が記録している前記機種データを前記読取手段によって読み取り、メモリに記憶して、この機種データに基づいて作成した赤外線信号を、前記赤外線送信手段から前記衛生器具に送信し、前記衛生器具は前記赤外線受信手段で受取った信号によって遠隔操作されることを特徴とする衛生設備システムを提案する。
【００１３】
請求項２の発明によれば、携帯型電話機は、衛生器具自らに対応する赤外線コードを格納した機種データを記録している記録媒体から、読取手段によって機種データを読み取り、メモリに記憶して、プログラムと機種データで作成した赤外線信号を、赤外線送信手段から衛生器具に送信し、衛生器具は赤外線受信手段で受取った信号によって遠隔操作される。
【００１４】
以上より、衛生器具に備え付けられている記録媒体に記憶されている機種データを携帯型電話機に内蔵の読取装置で読み取ることで、衛生器具の機種番号や型番の設定と同時に機種データ、つまり衛生器具固有の赤外線コードの取得を容易に行なうことができ、パブリックのように衛生器具が隣接して多数設置されているような場合においても確実に操作することが可能となる。
【００１５】
【発明の実施の形態】
以下、発明の実施の形態について図面を参照して説明する。図１は本発明における衛生設備システムの第一の実施形態を示す概念図。図２から７は第一の実施形態の一部であり、図２は本発明における機種データベースの一実施の形態、図３は本発明におけるメモリに記憶されている機種データの一実施の形態、図４，６は本発明における携帯型電話機の表示画面の例、図５は本発明における機種データの一実施の形態、図７は本発明における設置形態の一実施の形態、をそれぞれ示す概念図である。
【００１６】
図１においては、衛生器具１０は、記録媒体であるバーコード１１とここでは図示しない赤外線受信部を、携帯型電話機２０は、赤外線送信部２１、バーコード読取装置２２、ここでは図示しないネットワーク接続部、メモリ、衛生器具の表示操作器として利用可能とするためのプログラムを、サーバ３０は機種データベース３１、機種データ３２、ここでは図示しない受信部、送信部をそれぞれ備えている。
【００１７】
衛生器具１０の機種番号や型番といった情報を記録しており、衛生器具１０に備え付けられているバーコード１１を、携帯型電話機２０は内蔵されているバーコード読取装置２２で読み取ることで衛生器具１０の機種番号や型番を認識することができる。例えば、ボタン操作によって携帯型電話機２０を通常の通話モードから衛生器具１０の操作モードに切り替えると、自動的にメモリからプログラムが読み出され、さらにボタン操作によって機種認識の機能を選択する。この操作を行なった上で携帯型電話機２０に内蔵のバーコード読取装置２２をバーコード１１にかざすことで携帯型電話機２０は衛生器具１０の機種番号や型番を認識することができる。
【００１８】
この認識した機種番号や型番をネットワーク接続部からネットワーク１００を介してサーバ３０へ送信する。受信部によって受信したサーバ３０は、各赤外線コードを格納する機種データ３２を管理する図２のような機種データベース３１から機種番号や型番に該当する機種データ３２を検索し、送信部によってネットワーク１００を介して携帯型電話機２０に送信する。
【００１９】
携帯型電話機２０はネットワーク接続部によって受信した機種データ３２をメモリに記憶する。同時に、衛生器具１０の設置場所をメモリに手入力し、機種データ３２と設置場所の関連付けを行なっておく。
【００２０】
そして、携帯型電話機２０が備えるプログラムと、記憶した機種データ３２に格納されている赤外線コードに基づいて赤外線信号を作成する。
【００２１】
ここで、赤外線信号を作成する手順を説明する。衛生器具１０（ここでは自宅に設置されているとする）においておしり洗浄機能を使用したい場合は、まず携帯型電話機２０を通話モードから操作モードに切り替えてプログラム読み出すと、図３のように、今メモリに記憶された機種データ３２の一部である型番３２ａおよび以前にメモリに記憶された機種データの一部である型番３２ａ´のテーブルが、プログラムによって読み出される。この際に、この読み出されたテーブルに基づいて、携帯型電話機２０の表示画面には、型番やその設置場所の一覧が図４のように表示される。
【００２２】
ここで、自宅の衛生器具１０を操作したいので、図４において携帯型電話機２０のボタンを操作し「３自宅」を選択すると、プログラム上では図３に示すように「３自宅」に対応するテーブル番号ａの１に格納されている型番３２ａが選択され、次に図５に示すような、型番３２ａの各操作に対応する機種データ３２の一部である赤外線コード３２ｂのテーブルがメモリからプログラムによって読み出される。この際に、携帯型電話機２０の表示画面には、読み出されたテーブルに基づいて衛生器具１０の操作内容の一覧が図６のように表示される。
【００２３】
ここで、おしり洗浄を行いたいので、図６において携帯型電話機２０のボタンを操作し、「２おしり洗浄」を選択すると、プログラム上では図５に示すように「２おしり洗浄」に対応するテーブル番号ｂの２に格納されている赤外線コードが選択され、この赤外線コードに基づいて赤外線信号を作成する。以上が、赤外線信号の作成手順の一例である。
【００２４】
携帯型電話機２０によって作成された赤外線信号は、赤外線送信部２１によって衛生器具１０に向けて送信される。
【００２５】
衛生器具１０は、赤外線受信部で赤外線信号を受信し、おしり洗浄の操作を行なう。以上より、衛生器具１０は携帯型電話機２０によって遠隔操作される。
【００２６】
ここで、機種データ３２は図５に示すようなテーブルｂと、識別コードと制御コードからなる赤外線コードで構成される。制御コードとは、おしり洗浄や水温調節といったような各操作を行うための赤外線コードであり複数ｂｉｔで構成され、操作の内容によってそれぞれ異なる。また識別コードは、少数ｂｉｔで構成され、仮に３ｂｉｔだとすると標準では「０００」である。
【００２７】
しかし、図７に示すように部屋１，２，３に衛生器具１０−１，２，３が隣接して多数設置されている場合においては、識別コードは、例えば衛生器具１０−１は「１００」、１０−２は「０１０」というように、互いの赤外線信号の干渉を防ぐために、それぞれ異なるコードが設定されている。
【００２８】
つまり、図７に示すような場合においては、衛生器具１０の型番が同一であっても赤外線コードが異なるわけだが、バーコード読取装置２２によってバーコード１１から機種番号も読み取り、その衛生器具１０に対応する機種データを確実に取得することで、如何なる場合においても携帯型電話機２０による衛生器具１０の遠隔操作が可能となる。
【００２９】
図８は本発明における衛生設備システムの第二の実施形態を示す概念図である。以降の実施例に於いては、前記実施例と同一または相当する部分については、同一の符号を付し、詳細な説明を省略する。
【００３０】
図８においては、衛生器具１０の機種番号、型番や赤外線コードといった機種データ３２を記録しており、衛生器具１０に備え付けられているバーコード１１を、携帯型電話機２０は内蔵されているバーコード読取装置２２で読み取ることで衛生器具１０の機種データ３２を取得してメモリに記憶し、以下同様の操作を行なうことで、携帯型電話機２０による衛生器具１０の遠隔操作が可能となる。
【００３１】
また、衛生器具１０に機種番号、型番や機種データ３２を記録しているここでは図示しないＩＣタグを、携帯型電話機２０にはここでは図示しないＩＣタグ読取装置を備え、ＩＣタグに記録している機種番号、型番や機種データを読み取るための無線信号を携帯型電話機２０のＩＣタグ読取装置から送信し、受信したＩＣタグは記録している機種番号、型番や機種データを送信し、携帯型電話機２０はＩＣタグ読取装置で受信して、メモリに記憶しても良い。
【００３２】
もしくは、衛生器具１０にここでは図示しない赤外線送信部と、本体内部に機種番号、型番や機種データを記録している記録部を、携帯型電話機２０にはここでは図示しない赤外線受信部を備え、記録部に記録している機種番号、型番や機種データ３２を読み取るための赤外線信号を携帯型電話機２０の赤外線送信部２１から送信し、赤外線受信部で受信した衛生器具１０は記録部の情報を赤外線送信部から送信し、携帯型電話機２０は赤外線受信部で受信して、メモリに記憶しても良い。
【００３３】
【発明の効果】
本発明によれば、衛生器具に備え付けられている記録媒体の情報を携帯型電話機に内蔵の読取装置で読み取り、その内容から、その機種固有の赤外線コードを取得することができるため、パブリックのように衛生器具が隣接して多数設置されているような場合においても、携帯型電話機による衛生器具の遠隔操作を行なうことが可能となる。
【図面の簡単な説明】
【図１】本発明における衛生設備システムの第一の実施形態を示す概念図
【図２】本発明における第一の実施形態の一部である機種データベースを示す概念図
【図３】本発明における第一の実施形態の一部であるメモリに記憶されている機種データを示す概念図
【図４】本発明における第一の実施形態の一部である携帯型電話機の表示画面の例を示す図
【図５】本発明における第一の実施形態の一部である機種データを示す概念図
【図６】本発明における第一の実施形態の一部である携帯型電話機の表示画面の例を示す図
【図７】本発明における第一の実施形態の一部である設置形態を示す概念図
【図８】本発明における衛生設備システムの第二の実施形態を示す概念図
【符号の説明】
１，２，３…部屋、１０…衛生器具、１１…バーコード、２０…携帯型電話機、２１…赤外線送信部、２２…バーコード読取装置、３０…サーバ、３１…機種データベース、３２…機種データ、１００…ネットワーク、ａ，ｂ…テーブル番号
【図１】
2004282440.tif 000003
【図２】
2004282440.tif 000004
【図３】
2004282440.tif 000005
【図４】
2004282440.tif 000006
【図５】
2004282440.tif 000007
【図６】
2004282440.tif 000008
【図７】
2004282440.tif 000009
【図８】
2004282440.tif 000010